(57)【要約】【課題】ボルト頭部の大きさに応じて、ソケット本体の口部の内径及び外径を変化させるソケットの提供。【解決手段】ボルト頭部を締め付けて保持するソケット（１０、２０）である。ソケット（１０、２０）は、柱状部（１ｂ）と、柱状部（１ｂ）の側面に設けられた弾性体（３）と、弾性体（３）を介して柱状部（１ｂ）に接続され、柱状部（１ｂ）の周囲に配置された複数の締付部（２）と、複数の締付部（２）を通過する紐（５）と、紐（５）を引っ張る締め付け機構（４、２４）とを備える。締め付け機構（４、２４）は、紐（５）を引っ張って、複数の締付部（２）を柱状部（１ｂ）に接近させることによって、ボルト頭部を締め付ける。【選択図】図１
2018083262.tif 000002
【特許請求の範囲】
【請求項１】
ボルト頭部を締め付けて保持するソケットであって、
柱状部と、
前記柱状部の側面に設けられた弾性体と、
前記弾性体を介して前記柱状部に接続され、前記柱状部の周囲に配置された複数の締付部と、
前記複数の締付部を通過する紐と、
前記紐を引っ張る締め付け機構と、を備え、
前記締め付け機構は、前記紐を引っ張って、前記複数の締付部を前記柱状部に接近させることによって、前記ボルト頭部を締め付ける、
ソケット。
【発明の詳細な説明】
【技術分野】
【０００１】
本発明はソケットに関する。
【背景技術】
【０００２】
特許文献１には、本体の口部内に、ピンを移動可能に設けたソケットが開示されている。ボルト・ナット頭部を原位置に留めた状態で、ソケット本体のみを矢印方向に回転させる。このときピンは口部の壁面に摺動案内され、その径方向の位置を、ソケットの中心方向へ変位させる。そして、ピンの位置を、ボルト・ナット頭部の二面幅に合わせて自動的に調節する。調節された後、ボルトを締結する。このようなソケットでは、各ピンの間の距離が、ソケット本体の口部の内径に相当する一方で、本体の口部の外側周囲の大きさが、ソケット本体の口部の外径に相当する。
【先行技術文献】
【特許文献】
【０００３】
【特許文献１】特開平１０−１３８１５７号公報
【発明の概要】
【発明が解決しようとする課題】
【０００４】
特許文献１に開示されたソケットを用いて、調節可能な二面幅の最大値よりも小さな頭部を有するボルトに対してピンの位置を調節すると、ソケット本体の口部の内径が縮小する一方で、そのソケット本体の口部の外径が変化せず一定のままである。そのため、ソケット本体の口部の外径を受け入れることのできる空間を、被締結物（製品）側に形成しなければならなかった。
【０００５】
本発明に係るソケットは、ボルト頭部の大きさに応じて、ソケット本体の口部の内径及び外径を変化させるものとする。
【課題を解決するための手段】
【０００６】
本発明に係るソケットは、
ボルト頭部を締め付けて保持するソケットであって、
柱状部と、
前記柱状部の側面に設けられた弾性体と、
前記弾性体を介して前記柱状部に接続され、前記柱状部の周囲に配置された複数の締付部と、
前記複数の締付部を通過する紐と、
前記紐を引っ張る締め付け機構と、を備え、
前記締め付け機構は、前記紐を引っ張って、前記複数の締付部を前記柱状部に接近させることによって、前記ボルト頭部を締め付ける。
このような構成によれば、ソケットの口部の外径及び内径を縮小させるため、ソケットを被締結物（図示略）に装着するために必要な空間を、被締結物に形成する必要が無い。そのため、様々な形状を有する被締結物を締結することができる。
【発明の効果】
【０００７】
本発明に係るソケットは、ボルト頭部の大きさに応じて、ソケット本体の口部の内径及び外径を変化させることができる。
【図面の簡単な説明】
【０００８】
【図１】実施の形態１に係るソケットを示す側方断面図である。
【図２】実施の形態１に係るソケットを示す側面図である。
【図３】実施の形態１に係るソケットの要部を示す正面図である。
【図４】実施の形態２に係るソケットを示す側方断面図である。
【図５】実施の形態２に係るソケットを示す側面図である。
【発明を実施するための形態】
【０００９】
（実施の形態１）
図１〜図３を参照して実施の形態１に係るソケットについて説明する。図１は、実施の形態１に係るソケットを示す側方断面図である。図２は、実施の形態１に係るソケットを示す側面図である。図３は、実施の形態１に係るソケットの要部を示す正面図である。
【００１０】
図１及び図２に示すように、ソケット１０は、ロッド１と、締付部群２と、バネ３と、カラー４と、紐５と、ピン支持部６とを備える。図２では、分かり易さのため、締付部群２の一部等、適宜省略した。
【００１１】
ロッド１は、本体１ａと、本体１ａから延びる柱状部１ｂとを備える。本体１ａ及び柱状部１ｂは、同一のＸ１軸方向に延びる棒状部である。柱状部１ｂは、本体１ａよりも小さい径を有する。本体１ａは、第１のフランジ１ｃと、第２のフランジ１ｄと、連結部１ｅとを備える。第１のフランジ１ｃは、本体１ａにおける柱状部１ｂとの境界部に設けられており、本体１ａの径方向に突き出る形状を有する。第２のフランジ１ｄは、本体１ａにおける中央又はその近傍に設けられており、本体１ａの径方向に突き出る形状を有する。連結部１ｅは、本体１ａの一端部に設けられており、例えば、凹形状を備える。連結部１ｅは、インパクトレンチやインパクトドライバー等のトルク供給装置（図示略）に連結される。トルク供給装置が、連結部１ｅを介してトルクをソケット１０に供給する。
【００１２】
締付部群２は、複数の締付部２ａを備え、締付部２ａは、短冊状体である。図３に示すように、複数枚の締付部２ａは、柱状部１ｂの周囲に配置されている。図３では、分かり易さのため、バネ３等、適宜省略した。図１〜図３に示すように、締付部２ａの長手方向の長さは、柱状部１ｂよりも長く、締付部２ａの短手方向の長さは、保持予定のボルト頭部の側面に応じて、決めるとよい。また、締付部２ａの数は、保持予定のボルト頭部の形状に応じて、変更するとよい。締付部２ａは、柱状部１ｂよりも突き出ている。例えば、保持予定のボルト頭部が、六角ボルトである場合、締付部２ａの数は６枚であると好ましく、短手方向の長さは頭部断面の六角形の一辺の長さ以下であればよく、当該一辺の長さと同じ又は若干短いと好ましい。各締付部２ａは、バネ３を介して柱状部１ｂに機械的に接続されている。各締付部２ａは、バネ３が伸縮することによって、柱状部１ｂに対して相対的に離間したり、接近したりすることができる。締付部２ａは、紐５が通過可能な孔２ｂを有し、孔２ｂは、少なくとも締付部２ａの先端部に位置する。
【００１３】
カラー４は、略円筒状のカラー本体４ａと、カラー本体４ａの一端に設けられた底部４ｂとを含む。カラー本体４ａの内径は、ロッド１の第１のフランジ１ｄの径と殆ど同じであり、底部４ｂは孔４ｃを備え、孔４ｃの内径は、ロッド１の本体１ａの径と殆ど同じである。底部４ｂは、カラーピン４ｄを備える。カラー４は、Ｘ１軸回りに回転可能に、ロッド１の本体１ａに設けられている。カラーピン４ｄは、ボルト頭部の二面幅毎の位相に合わせて、底部４ｂに設けられている。カラーピン４ｄは、バネ（図示略）等を介して設けられているため、ロッド１の第１のフランジ１ｄに突き出すことができる。カラーピン４ｄの突き出しを受ける溝を、第１のフランジ１ｄに設けてもよい。カラーピン４ｄの突き出しによって、カラー４をロッド１に対して相対的にＸ１軸回りに一定の位置に固定することができる。カラー本体４ａの他端には、紐５を留めることのできる紐固定ピン４ｆ、４ｇが設けられている。カラー４及びバネ４ｈは、ロッド１の本体１ａに挿し込まれており、第１のフランジ１ｃと第２のフランジ１ｄとの間に位置する。バネ４ｈは、カラー４がＸ１軸回りに回転可能にしつつＸ１軸方向への移動を抑制するように、カラー４を第１のフランジ１ｃ側に押し当てる。
【００１４】
紐５は、ポリエチレン繊維を含む。紐５の一具体例として、ポリエチレン繊維からなる紐がある。ポリエチレン繊維からなる紐は、例えば、Φ０．３ｍｍ当たり２００Ｎと良好な強度を有し、伸び率５％とあまり伸びず、さらに柔軟性を有するため、紐５として利用すると好ましい。紐５の一端は、紐固定ピン４ｆに留められており、紐５の他端は、紐固定ピン４ｇに留められている。紐５は、締付部群２における少なくとも２枚の締付部２ａを通過し、柱状部１ｂの周りに配置された少なくとも２枚の締付部２ａを通過する。紐５は、柱状部１ｂを複数回、周回するように配置してもよい。紐５は、締付部２ａの先端部を通過すると、ボルト頭部の締め付け時に、締付部群２の広がりが抑制されて好ましい。カラー４をＸ１軸回りに回転させた場合に、図３に示すように紐５の両端が引っ張られるよう、紐５は、適宜、ピン等を用いて、その配置箇所や方向を変えてもよい。
【００１５】
ピン支持部６は、締付部群２とカラー４との間に設けられ、ビス６ａ、６ｂを介して第１のフランジ１ｃに固定されている。ピン支持部６に、ピン６ｃ、６ｄが設けられている。例えば、紐５の一端部、他端部を紐固定ピン４ｆ、４ｇにそれぞれ固定した後、紐５の一端部、他端部の余りをそれぞれピン６ｃ、６ｄに固定することができる。
【００１６】
ここで、カラー４をＸ１軸回りに回転させる。すると、紐固定ピン４ｆ、４ｇがカラー４に連動し、Ｘ１軸回りに回転し、紐固定ピン４ｆ、４ｇに固定された紐５の一端及び他端が、引っ張られる。すると、図３に示すように、紐５の両端が引っ張られる。各締付部２ａが、柱状部１ｂ側に接近する。ボルト頭部（図示略）を各締付部２ａの内側に配置している場合、ボルト頭部を締め付けて、保持することができる。すなわち、カラー４は、ボルト頭部を締め付ける締め付け機構として機能する。
【００１７】
締付部２ａの先端部と、柱状部１ｂの先端部とが、ボルト頭部を保持するソケット１０の口部に相当する。締付部２ａの先端部は、ソケット１０の口部の側壁に相当し、柱状部１ｂの先端部は、ソケット１０の口部の底部に相当する。
【００１８】
すなわち、カラー４の回転によって各締付部２ａを柱状部１ｂ側に接近させることによって、ソケット１０の口部の外径及び内径を縮小させるため、ソケットを被締結物（図示略）に装着するために必要な空間を、被締結物に形成する必要が無い。そのため、様々な形状を有する被締結物をソケット１０を用いて締結することができる。
【００１９】
また、紐５は、柱状部１ｂの周りに配置された各締付部２ａの先端部を通過する場合、カラー４の回転によって、締付部２ａの先端部を内側に向かって移動させることによって、ソケット１０の口部の先端部が、ボルト頭部を直接締め付けて拘束する。そのため、ボルトを締め付けるときに、ソケットの口部が広がってしまうことを抑制することができる。
【００２０】
（実施の形態２）
次に、図４及び図５を参照しながら、実施の形態２にかかるソケットについて説明する。実施の形態２に係るソケットは、ロッド及びカラーを除いて、ソケット１０と共通する構成を有する。図４は、実施の形態２に係るソケットを示す側方断面図である。図５は、実施の形態２に係るソケットを示す側面図である。
【００２１】
図４及び図５に示すように、ソケット２０は、ロッド２１と、カラー２４と、ボールプランジャ２６とを備える。
【００２２】
ロッド２１は、本体２１ａと、本体２１ａから延びる柱状部１ｂとを備える。本体２１ａ及び柱状部１ｂは、同一のＸ１軸方向に延びる棒状部である。柱状部１ｂは、本体２１ａよりも小さい径を有する。本体２１ａは、連結部１ｅと、ボールプランジャ２６とを備える。ボールプランジャ２６は、バネ（図示略）等を介して設けられているため、カラー２４に突き出すことができる。
【００２３】
カラー２４は、略円筒状体であり、カラー２４の内径は、ロッド２１の本体２１ａの径と殆ど同じである。カラー２４は、Ｘ１軸回りに回転可能に、ロッド２１の本体２１ａに設けられている。カラー２４の内周面には、ボールプランジャ２６の突出しを受ける溝を、ボルト頭部の二面幅毎の位相に合わせて、設けられている。ボールプランジャ２６の突き出しによって、カラー２４をロッド２１に対して相対的にＸ１軸方向において、移動可能に、所定の位置に固定することができる。カラー２４における柱状部１ｂ側の一端には、紐５を留めることのできる紐固定ピン４ｆ、４ｇが設けられている。
【００２４】
ここで、カラー２４を、本体２１ａの連結部１ｅ側（ここでは、ｘ軸マイナス側）に移動させる。すると、紐固定ピン４ｆ、４ｇがカラー２４に連動し、連結部１ｅ側に移動し、紐固定ピン４ｆ、４ｇに固定された紐５の一端及び他端が、引っ張られる。すると、図３に示す紐５と同様に、図４及び図５に示す紐５の両端が引っ張られる。各締付部２ａが、柱状部１ｂ側に接近する。ボルト頭部（図示略）を各締付部２ａの内側に配置している場合、ボルト頭部を締め付けて、保持することができる。すなわち、カラー２４は、ボルト頭部を締め付ける締め付け機構として機能する。
【００２５】
締付部２ａの先端部と、柱状部１ｂの先端部とが、ボルト頭部を保持するソケット２０の口部に相当する。締付部２ａの先端部は、ソケット２０の口部の側壁に相当し、柱状部１ｂの先端部は、ソケット２０の口部の底部に相当する。
【００２６】
すなわち、カラー２４のＸ１軸方向への移動によって各締付部２ａを柱状部１ｂ側に接近させることによって、ソケット２０の口部の外径及び内径を縮小させるため、被締結物として、頭部の小さいボルトを締結する場合、当該頭部に応じてソケット２０の口部の外径を縮小することができる。ソケットを被締結物（図示略）に装着するために必要な空間を、被締結物に形成する必要が無い。そのため、様々な形状を有する被締結物をソケット２０を用いて締結することができる。
【００２７】
また、紐５は、柱状部１ｂの周りに配置された各締付部２ａの先端部を通過しているため、カラー２４のＸ１軸方向への移動によって、締付部２ａの先端部を内側に向かって移動させることによって、ソケット２０の口部の先端部がボルト頭部を直接締め付けて、拘束する。そのため、ボルトを締め付けるときに、ソケットの口部が広がってしまうことを抑制することができる。
【００２８】
なお、本発明は上記実施の形態に限られたものではなく、趣旨を逸脱しない範囲で適宜変更することが可能である。例えば、ソケット１０、２０は、バネ３を備えたが、弾性体を備えてもよい。
【符号の説明】
【００２９】
１０、２０  ソケット
１ｂ  支持柱状部                            
２  締付部群                                ２ａ  締付部
３  バネ                                    ４、２４  カラー
５  紐
【図１】
2018083262.tif 000003
【図２】
2018083262.tif 000004
【図３】
2018083262.tif 000005
【図４】
2018083262.tif 000006
【図５】
2018083262.tif 000007